(57)【要約】【課題】簡単なキー操作により、設定した計測時間の計時が終了するたびにタイマーが自動停止する一般のキッチンタイマーと同様の使い方をすることができ、また、例えば１分間で行う足し算をインターバルを取らずに繰り返すクレぺリン検査における１分間の単位時間等を正確且つ連続的に計測することもできるタイマー装置を提供する。【解決手段】「分」設定キー２と「秒」設定キー３とからなる時間設定キーでタイマーに設定した計測時間の計時が終了するたびにタイマーを自動停止する単回計測モードと、前記計測時間の計時が終了すると同時にその計測時間の計時を自動的に再開する繰返し計測モードとに切り替えるモード切替キー６を装備している。【選択図】図１
0003180337.tif 000002
【実用新案登録請求の範囲】
【請求項１】
タイマーに計測時間を設定する時間設定キーと、タイマーに設定された計測時間とその計時を表示する表示部と、タイマーを起動／停止させるスタート／ストップキーと、タイマーのタイムアップを報せる報知器と、タイマーの動作を制御するコンピュータとを備えたタイマー装置において、前記計測時間の計時が終了するたびにタイマーを自動停止する単回計測モードと、前記計測時間の計時が終了すると同時にその計測時間の計時を自動的に再開する繰返し計測モードとに切り替えるモード切替キーが装備されていることを特徴とするタイマー装置。
【請求項２】
前記モード切替キーを押してオンすると、前記単回計測モードから前記繰返し計測モードに切り替わり、該キー６を二度押ししてオフすると、前記単回計測モードに復帰する請求項１記載のタイマー装置。
【請求項３】
前記繰返し計測モードとしたときに、前記表示部に「ＲＥＰＥＡＴ」の文字もしくはこれと同義の文字が表示される請求項１又は２記載のタイマー装置。
【請求項４】
前記繰返し計測モードにおける前記計測時間の計時が終了すると、前記表示部の計時表示が、全桁「０」表示となって一定秒数だけ点滅した後、前記計測時間の計時を再開してから前記一定秒数後の計時表示に切り替わる請求項１、２又は３記載のタイマー装置。
【考案の詳細な説明】
【技術分野】
【０００１】
本考案は、キッチンタイマー等として使用されるタイマー装置に関する。
【背景技術】
【０００２】
主に家庭用・業務用のキッチンタイマーとして使用される市販のタイマー装置は、タイマーの計測時間を分単位と秒単位で設定する「分」設定キーと「秒」設定キーとからなる時間設定キーと、該キーで設定された計測時間とそのカウントダウン計時をデジタル表示する液晶ディスプレイからなる表示部と、タイマーを起動／停止させるスタート／ストップキーと、タイマーのタイムアップをアラーム音で報せる電子音発生器等からなる報知器と、タイマーの動作を統括的に制御するワンチップマイコン等のコンピュータとを備え、計測時間の計時が終了して表示部の計時表示が例えば「００分００秒」の如く全桁「０」表示になると、該表示が例えば５秒間点滅すると同時に、報知器からタイマーのタイムアップを報せるアラーム音が５秒間発せられた後、前回設定したタイマーの計測時間が自動的に再設定され、その計測時間が表示部に表示されてから、タイマーが自動停止するものが一般的である。
【０００３】
この一般的な市販のタイマー装置を使用して前回計測した計測時間と同一の計測時間を再度計測する場合は、タイマーを起動させるスタートキーをオンするだけで、表示部に表示されている前回と同じ計測時間の計時が再開されるから、時間設定キーを操作して計測時間を再設定する面倒がないという便宜がある。
【０００４】
しかし、例えば、餃子やハンバーグを一定の調理時間で焼き上げる定型的な作業を数秒〜十数秒程度の短いインターバルで繰り返す餃子専門店やハンバーガーショップにおいて、その調理時間をタイマー装置で何度も繰返し計測する場合は、タイマー装置のスタートキーをオンするキー操作を頻繁に行わなければならず、非常に面倒であった。また、そのキー操作を失念したり、怠って、調理時間が計測できないこともあった。更に、水滴や調理用の油などが付着した手でタイマー装置のキー操作を頻繁に行うと、不衛生であるうえ、タイマー装置の汚損や故障を生ずるおそれもあった。
【０００５】
そこで、本願出願人は、時間設定キーで設定した計測時間の計時が終了するたびに、次回の調理の準備をするために必要な５秒あるいは１０秒程度のインターバルを取ってから、前回と同じ計測時間の計時を自動的に再開する特殊なタイマー装置を提案した（特許文献１参照）。
【０００６】
しかしながら、この特殊なタイマー装置は、上記の如く餃子専門店やハンバーガーショップなどで業務用として使用する場合は便利であるが、計測時間の計時が終了しても、タイマーが自動停止せず、５秒あるいは１０秒程度のインターバル時間が経過すると、計測時間の計時が自動的に再開されることとなるため、これを家庭用のキッチンタイマー等として使用する場合は、計測時間の計時が終了したときに、ストップキーをオンするキ−操作を行ってタイマーを手動停止させなければならないという面倒がある。
【０００７】
また、近年は、企業の採用試験として、検査用紙に多段にプリントされた一桁の数字群（例えば、一段目の数字群「293785729717183949…」、二段目の数字群「489846578289193485…」、三段目の数字群「984573628294764594…」等）の足し算を一段目の数字群から開始し、その開始から１分間が経過すると、インターバルを取らずに直ちに二段目の数字群の足し算に移行し、更に１分間が経過すると、直ちに三段目の数字群の足し算に移行するというクレぺリン検査（職能適正検査・性格診断検査）を前後半１５分間ずつ実施することが行われているが、このクレぺリン検査における１分間の単位時間を特許文献１に記載のタイマー装置で計測することはできないし、一般的な市販のタイマー装置を用いて正確且つ連続的に計測することは困難であった。
【０００８】
つまり、一般的な市販のタイマー装置は、上記の如く、タイマーに設定した計測時間の計時が終了してから、その計測時間が自動的に再設定されるまでに、５秒間を要し、更に、再設定された計測時間の計時を開始させるために、タイマーを起動させるスタートキーをオンするキー操作を行わなければならないから、１分の時間を計測する毎に、５秒以上のタイムラグが生ずる。
【０００９】
また、そのタイムラグを短縮するために、タイマーに設定した計測時間の計時が終了して報知器からタイマーのタイムアップを報せるアラーム音が発せられると同時に、直ちにストップキーをオンしてタイマーを手動停止させ、次いで、スタートキーをオンしてタイマーを起動させる手段もあるが、この場合も、ストップキーとスタートキーをオンするキー操作に要する時間分のタイムラグが生ずるから、１分の時間を正確且つ連続的に計測することができず、また、１分の時間を計測する毎に、その都度、ストップキーとスタートキーをオンする面倒なキー操作を行わなければならないという不便がある。更に、そのキー操作を計測時間の計時が終了すると同時に行おうとすれば、タイマーの表示部に表示される計時から目を離さずに、その計時を常に凝視していなければならないという面倒があり、クレぺリン検査における１分間の単位時間を１５分間にわたって連続的に計測する場合は、計測作業の負担も大きい。
【先行技術文献】
【特許文献】
【００１０】
【特許文献１】実用新案登録第３１４４７１５号公報
【考案の概要】
【考案が解決しようとする課題】
【００１１】
本考案は、簡単なキー操作によって、例えば上記の如く１分間で行う足し算をインターバルを取らずに前後半１５分間ずつ（つまり、１５回ずつ）繰り返すクレぺリン検査における１分間の単位時間などを正確且つ連続的に計測することができ、また、一般的なキッチンタイマーと同様に、設定した計測時間の計時が終了するたびに自動停止するタイマーとして使用することもできるタイマー装置を提供することを技術的課題としている。
【課題を解決するための手段】
【００１２】
上記課題を解決するために、本考案は、タイマーに計測時間を設定する時間設定キーと、タイマーに設定された計測時間とその計時を表示する表示部と、タイマーを起動／停止させるスタート／ストップキーと、タイマーのタイムアップを報せる報知器と、タイマーの動作を制御するコンピュータとを備えたタイマー装置において、前記計測時間の計時が終了するたびにタイマーを自動停止する単回計測モードと、前記計測時間の計時が終了すると同時にその計測時間の計時を自動的に再開する繰返し計測モードとに切り替えるモード切替キーが装備されていることを特徴とする。
【考案の効果】
【００１３】
本考案によるタイマー装置は、前記モード切替キーの操作により、タイマーに設定した計測時間の計時が終了するたびにタイマーを自動停止する単回計測モードにして、一般的なキッチンタイマーと同様に使用することができ、また、タイマーに設定した計測時間の計時が終了すると同時にその計測時間の計時を自動的に再開する繰返し計測モードに切り替えて、例えば上記のようなクレぺリン検査における１分間の単位時間を正確且つ連続的に計測することができる。また、クレぺリン検査における単位時間の計測に限らず、その他、インターバルを取らずに一定時間ずつ繰返し行う運動・トレーニングの単位時間や、各種監視・測定のサイクル時間等の計測にも使用することができる。
【図面の簡単な説明】
【００１４】
【図１】本考案の実施例に係るタイマー装置の正面図
【図２】本考案の実施例に係るタイマー装置の構成を示すブロック図
【図３】本考案の実施例に係るタイマー装置の表示部の画面表示を示す図
【図４】本考案の実施例に係るタイマー装置のコンピュータの処理手順を示すフローチャート
【考案を実施するための形態】
【００１５】
本考案に係るタイマー装置の実施形態は、タイマーに計測時間を分単位と秒単位で設定する「分」設定キーと「秒」設定キーからなる時間設定キーと、タイマーに設定された計測時間とその計時を表示する液晶ディスプレイからなる表示部と、タイマーを起動／停止させるスタート／ストップキーと、タイマーのタイムアップをアラーム音で報せる電子音発生器等からなる報知器と、タイマーの動作を制御するコンピュータとを備えると共に、前記計測時間の計時が終了するたびにタイマーを自動停止する単回計測モードと、前記計測時間の計時が終了すると同時にその計測時間の計時を自動的に再開する繰返し計測モードとに切り替えるモード切替キーを備え、更に、前記繰返し計測モードにおける前記計測時間の計測回数をカウントする積算カウンタを備えている。
【００１６】
そして、前記モード切替キーを押してオンすると、前記単回計測モードから前記繰返し計測モードに切り替わり、該キー６を二度押ししてオフすると、前記単回計測モードに復帰し、前記繰返し計測モードにしたときに、前記表示部に、繰返し計測モードであることを示す「ＲＥＰＥＡＴ」の文字もしくはこれと同義の文字（例えば「リピート」の文字等）が表示されると共に、前記積算カウンタでカウントする前記計測時間の計測回数が更新表示されるようになっている。
【００１７】
また、前記繰返し計測モードにおける前記計測時間の計時が終了する一定時間前（例えば１０秒前）に、前記報知器からタイマーのタイムアップが迫っていることを報せる予鈴となる報知音が発せられ、計測時間の計時が終了すると、前記報知器からタイマーのタイムアップを報せるアラーム音等が一定秒数（例えば５秒）だけ発せられると同時に、前記表示部の計時表示が、全桁「０」表示となって一定秒数（５秒）だけ点滅した後、前記計測時間の計時を再開してから前記一定秒数後（５秒後）の計時表示に切り替わるようになっている。
【実施例】
【００１８】
本考案の実施例に係るタイマー装置は、プラスチックからなる外装ケース１の前面に、タイマーに分単位で１〜９９分間の計測時間を設定することができる「分」設定キー２と、秒単位で１〜５９秒間の計測時間を設定することができる「秒」設定キー３とからなる時間設定キーと、「分」設定キー２と「秒」設定キー３でタイマーに設定された計測時間とその計時をデジタル表示する液晶ディスプレイからなる表示部４と、タイマーを起動／停止させるスタート／ストップキー５と、タイマーの計測モードを切り替えるモード切替キー６とが配設されている。
【００１９】
モード切替キー６は、タイマーの計測モードを、「分」設定キー２と「秒」設定キー３で設定した計測時間の計時が終了するたびにタイマーを自動停止する単回計測モードと、前記計測時間の計時が終了すると同時にその計測時間の計時を自動的に再開する繰返し計測モードとに切替設定するもので、該キー６を一度押してオンすると、単回計測モードから繰返し計測モードに切り替わり、該キー６を二度押ししてオフすると、単回計測モードに復帰するようになっている。
【００２０】
外装ケース１の内部には、タイマー本体を成すタイマーＩＣからなる減算タイマー７と、繰返し計測モードにおける計測時間の計測回数をカウントする積算カウンタ８と、タイマーのタイムアップを「ピピピピピ…」のアラーム音で報せる電子音発生器からなる報知器９と、タイマーの動作を統括的に制御するワンチップマイクロコンピュータ１０と、電源となる電池を交換可能に装填する電池ケース（図示せず）とが収容配設されている。
【００２１】
以上の如く構成されたタイマー装置は、例えば、「分」設定キー２でタイマーの計測時間を「０３分００秒」に設定すると、表示部４に、図３（ａ）の如く、設定した計測時間「０３分００秒」が表示され、次に、スタート／ストップキー５を押してそのスタートキーをオンすると、単回計測モードによる計測時間「０３分００秒」の計時が開始されて、その計時が、「０２分５９秒」、「０２分５８秒」、「０２分５７秒」…の如く表示部４にカウントダウン表示され、計測時間の計時が終了して表示部４の計時表示が全桁「０」表示の「００分００秒」になると、該表示が５秒間点滅すると同時に、報知器９からタイマーのタイムアップを報せるアラーム音が５秒間発せられた後、前回設定した計測時間「０３分００秒」が自動的に再設定され、その計測時間「０３分００秒」が表示部４に表示されてから、タイマーが自動停止する。
【００２２】
一方、タイマーの計測時間を「分」設定キー２で「０３分００秒」に設定すると共に、モード切替キー６をオンしてタイマーを単回計測モードから繰返し計測モードに切り替えると、表示部４に、図３（ｂ）の如く、設定した計測時間「０３分００秒」と、繰返し計測モードであることを示す「ＲＥＰＥＡＴ」の文字と、積算カウンタ８でカウントする計測時間の計測回数が１回目であることを示す数字「０１」とが表示される。
【００２３】
次いで、スタート／ストップキー５を押してそのスタートキーをオンすると、繰返し計測モードによる計測時間「０３分００秒」の計時が開始されて、その計時が、「０２分５９秒」、「０２分５８秒」、「０２分５７秒」…の如く表示部４にカウントダウン表示されて、該表示が計測時間の計時が終了する１０秒前の「００分１０秒」になると、報知器９からタイマーのタイムアップが迫っていることを報せる予鈴となる２〜３秒程度の短い報知音「ピピピ、ピピピ…」が発せられる。
【００２４】
そして、計測時間「０３分００秒」の計時が終了すると同時に、その計測時間「０３分００秒」の計時が再開されると共に、報知器９からタイマーのタイムアップを報せるアラーム音「ピピピピピ…」が５秒間だけ発せられ、表示部４の計時表示が、図３（ｃ）の如く全桁「０」表示の「００分００秒」となって５秒間点滅した後、その計時表示「００分００秒」が、図３（ｄ）の如く、計測時間「０３分００秒」の計時を再開してから５秒後の計時表示「０２分５５秒」に切り替わって、「０２分５４秒」、「０２分５３秒」、「０２分５２秒」…の如くカウントダウン表示され、また、表示部４に、積算カウンタ８でカウントする計測時間の計測回数が２回目であることを示す数字「０２」が更新表示されることとなる。
【００２５】
また、計測時間「０３分００秒」の２回目の計測が終了したときは、その終了と同時に、計測時間「０３分００秒」の計時が自動的に再開され、報知器９からタイマーのタイムアップを報せるアラーム音「ピピピピピ…」が５秒間だけ発せられ、図３（ｅ）の如く全桁「０」表示となった表示部４の計時表示「００分００秒」が５秒間点滅した後、その計時表示「００分００秒」が、図３（ｆ）の如く、計測時間「０３分００秒」の計時を再開してから５秒後の計時表示「０２分５５秒」に切り替わると同時に、表示部４に、積算カウンタ８でカウントする計測時間の計測回数が３回目であることを示す数字「０３」が更新表示される。このように、表示部４に計測時間の計測回数が更新表示されると、前後半１５回ずつ行うクレぺリン検査の足し算の実行回数を察知・確認することができるという便宜がある。
【００２６】
以下、中央演算装置（ＣＰＵ）、記憶装置、制御装置等を備えたワンチップマイクロコンピュータ１０の制御動作について説明する。
【００２７】
コンピュータ１０は、例えば、タイマーの計測時間が「分」設定キー２で「０３分００秒」に設定されると、その計測時間「０３分００秒」を図３（ａ）の如く表示部４に表示して、図４のタイムチャートに示す処理を実行開始し、まずステップ（１）で、モード切替キー６がオンされたか否かを判定する。
【００２８】
ステップ（１）で、モード切替キー６がオンされていないときは、ステップ（２）に移行して、スタート／ストップキー５のスタートキーがオンされたか否かを判定し、スタートキーがオンされると、ステップ（３）に移行して、単回計測モードによる計時を開始する。すなわち、ステップ（３）で、減算タイマー７による計測時間「０３分００秒」のカウントダウン計時を開始すると同時に、そのカウントダウン計時「０２分５９秒」、「０２分５８秒」、「０２分５７秒」…を表示部４に表示する。
【００２９】
次に、ステップ（４）に移行して、減算タイマー７のカウントダウン計時が終了したか否かを判定し、その計時が終了すると、ステップ（５）に移行して、タイマーのタイムアップを報せるアラーム音「ピピピピピ…」を発する報知器９を作動させると同時に、全桁「０」表示となった表示部４の計時表示「００分００秒」を点滅させ、次のステップ（６）で、計時が終了してから５秒経過したか否かを判定し、５秒経過すると、ステップ（７）に移行して、報知器９の作動を停止させると同時に、表示部４の計時表示「００分００秒」の点滅を停止させ、タイマーに計測時間「０３分００秒」を再設定して、表示部４の計時表示「００分００秒」を計測時間「０３分００秒」の表示に切り替えてから、タイマーを自動停止させる。
【００３０】
一方、ステップ（１）で、モード切替キー６がオンされたときは、ステップ（８）に移行して、タイマーの計測モードを単回計測モードから繰返し計測モードに切り替えると同時に、表示部４に、図３（ｂ）の如く、繰返し計測モードであることを示す「ＲＥＰＥＡＴ」の文字と、積算カウンタ８でカウントする計測時間の計測回数が１回目であることを示す数字「０１」を表示する。
【００３１】
次いで、ステップ（９）に移行して、スタート／ストップキー５のスタートキーがオンされたか否かを判定し、オンされたときは、ステップ（１０）に移行して、繰返し計測モードによる計時を開始する。すなわち、ステップ（１０）で、減算タイマー７による計測時間「０３分００秒」のカウントダウン計時を開始すると同時に、そのカウントダウン計時「０２分５９秒」、「０２分５８秒」、「０２分５７秒」…を表示部４に表示する。
【００３２】
そして、ステップ（１１）に移行して、測定時間の計時が終了する１０秒前となったか否かを判定し、１０秒前となったときは、ステップ（１２）で、報知器９を２〜３秒程度の短時間だけ作動させて、該報知器９からタイマーのタイムアップが迫っていることを報せる予鈴となる報知音「ピピピ、ピピピ…」を生じさせる。
【００３３】
次に、ステップ（１３）に移行して、減算タイマー７のカウントダウン計時が終了したか否かを判定し、その計時が終了すると、ステップ（１４）に移行して、減算タイマー７による計測時間「０３分００秒」の計時を再開させると同時に、タイマーのタイムアップを報せるアラーム音「ピピピピピ…」を発する報知器９を作動させ、且つ計時が終了して図３（ｃ）の如く全桁「０」表示となった表示部４の計時表示「００分００秒」を点滅させる。
【００３４】
次いで、ステップ（１５）に移行して、５秒経過したか否かを判定し、５秒経過すると、ステップ（１６）に移行して、報知器９の作動を停止させ、表示部４の計時表示「００分００秒」の点滅を停止させ、その計時表示「００分００秒」を、図３（ｄ）の如く、計測時間「０３分００秒」の計時を再開してから５秒後の計時表示「０２分５５秒」に切り替えて、「０２分５４秒」、「０２分５３秒」、「０２分５２秒」…の如くカウントダウン表示させると同時に、表示部４に、図３（ｄ）の如く、積算カウンタ８でカウントする計測時間の計測回数が２回目であることを示す数字「０２」を更新表示し、以後、ステップ（１１）からステップ（１６）までの処理を繰返し実行する。
【産業上の利用可能性】
【００３５】
本考案は、キッチンタイマー等として使用されるタイマー装置の有用性向上に資するものである。
【符号の説明】
【００３６】
１…外装ケース
２…「分」設定キー
３…「秒」設定キー
４…表示部
５…スタート／ストップキー
６…モード切替キー
７…減算タイマー
８…積算カウンタ
９…報知器
１０…コンピュータ
【図１】
0003180337.tif 000003
【図２】
0003180337.tif 000004
【図３】
0003180337.tif 000005
【図４】
0003180337.tif 000006
【手続補正書】
【提出日】平成24年10月3日(2012.10.3)
【手続補正１】
【補正対象書類名】実用新案登録請求の範囲
【補正対象項目名】請求項２
【補正方法】変更
【補正の内容】
【請求項２】
前記モード切替キーを押してオンすると、前記単回計測モードから前記繰返し計測モードに切り替わり、該キーを二度押ししてオフすると、前記単回計測モードに復帰する請求項１記載のタイマー装置。